【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
表示画面と、
少なくとも１個の表示窓、および前記画面上に表示される複数の番組名のセルを含むグリッド・ガイドを有する電子番組ガイド（ＥＰＧ）と、から成る、双方向テレビジョン／放送システムにおいて、
当該電子番組ガイドは、ビデオ・クリップのプレビューを自動的に開始することによって、前記少なくとも１個の表示窓にビデオ・クリップのプレビューをオン・デマンドで表示するものであり、
（１）前記グリッド・ガイドをブラウズ／ナビゲートして、番組名のセルをハイライトし、
更に、
（２）所定の期間、前記番組名のセルをハイライトしてから、
ビデオ・クリップのプレビューを開始することについて、当該ビデオ・クリップのプレビューに関するもので、且つハイライトされた番組名の付されたセルに関する番組が、ユーザ・プロフィールによる保護者管理に従って制限される場合には、禁止される、前記双方向テレビジョン／放送システム。
【請求項２】
前記少なくとも１個の表示窓が、現在同調（受信）している番組を表示する第１の表示窓、および音声トラックを聞くことのできるビデオ・クリップのプレビューを表示する第２の表示窓を含む、請求項１記載のシステム。
【請求項３】
ビデオ・クリップ・プレビューの表示に先立ち、ハイライトされた番組名のセルについてビデオ・クリップ・プレビューが得られると、前記第２の表示窓にそのビデオ・クリップ・プレビューの静止画像を直ちに表示する、請求項２記載のシステム。  
【請求項４】
前記少なくとも１個の表示窓に、すぐ近くのビデオ・クリップ・プレビューを表すローディング・メッセージ／アイコンを表示する、請求項２記載のシステム。
【請求項５】
少なくとも１個の表示窓にナビゲートし、前記少なくとも１個の表示窓を選択して、画面上にビデオ・クリップ・プレビューを表示する手段を具えるリモコン装置を更に含む、請求項２記載のシステム。
【請求項６】
グリッド・ガイドをナビゲート／ブラウズするためのナビゲーション・ボタンと、
ビデオ・クリップ・プレビューを選択して画面上に表示するためのプレビュー・ボタンと、を具えるリモコン装置を更に含む、請求項１記載のシステム。
【請求項７】
番組が、それに関連して、少なくとも１個の表示窓に表示されるビデオ・クリップ・プレビューを有し、リモコン装置が前記番組を記録（録画）するためのレコード・ボタンを更に具える、請求項６記載のシステム。
【請求項８】
番組名が付された複数のセルのうち、関連するビデオ・クリップ・プレビューを有するセルと、関連するビデオ・クリップ・プレビューを有しないセルが見分けられて、そのビデオ・クリップ・プレビューが得られることを表示する、請求項１記載のシステム。
【請求項９】
オン・デマンドでビデオ・クリップ・プレビューを表示する方法であって、
少なくとも１個の表示窓と、番組名が付された複数のセルを含むグリッド・ガイドとを有する電子番組ガイドを画面上に表示するステップと、
前記グリッド・ガイドをブラウズするステップと、
ブラウズするステップの間、番組名が付されたセルをハイライトするステップと、
ハイライトするステップの間、前記ハイライトされた番組名のセルが、所定の期間、ハイライトされてから、ビデオ・クリップ・プレビューを前記少なくとも１個の表示窓に自動的に表示するステップであって、当該ビデオ・クリップのプレビューを開始することについて、当該ビデオ・クリップのプレビューに関するもので、且つハイライトされた番組名の付されたセルに関する番組が、ユーザ・プロフィールによる保護者管理に従って制限される場合には、禁止されるステップと、から成る、前記方法。
【請求項１０】
前記少なくとも１個の表示窓が第１の表示窓と第２の表示窓を含み、且つ
現在同調（受信）している番組を前記第１の窓に表示するステップと、
ビデオ・クリップ・プレビューを前記第２の窓に表示するステップと、
ビデオ・クリップ・プレビューを表示する前記ステップと同時にビデオ・クリップ・プレビューの音声トラックを再生するステップと、を更に含む、請求項９記載の方法。
【請求項１１】
ビデオ・クリップのプレビューを表示する前記ステップに先立ち、ハイライトされた番組名のセルについてビデオ・クリップ・プレビューが得られると、このプレビューの静止画像を前記第２の窓に表示するステップを更に含む、請求項１０記載の方法。
【請求項１２】
すぐ近くのビデオ・クリップ・プレビューを表すローディング・メッセージ／アイコンを前記少なくとも１個の窓に表示するステップを更に含む、請求項１０記載の方法。
【請求項１３】
前記少なくとも１個の表示窓にナビゲートするステップを更に含み、前記少なくとも１個の表示窓を選択して、ビデオ・クリップのプレビューを画面上に表示する、請求項１０記載の方法。
【請求項１４】
プレビュー・ボタンを選択して、ビデオ・クリップのプレビューを画面上に表示するステップを更に含む、請求項９記載の方法。
【請求項１５】
番組を記録（録画）するための記録オプションを選択するステップを更に含み、番組が、それに関連して、少なくとも１個の窓に表示されるビデオ・クリップ・プレビューを有し、前記ビデオ・クリップ・プレビューを再生中または再生後に前記選択が実行される、請求項９記載の方法。
【請求項１６】
前記記録オプションで、現在または将来放送を予定されるビデオ・クリップ・プレビューに関連する番組を記録（録画）する、請求項１５記載の方法。
【請求項１７】
前記所定の期間が少なくとも１秒である、請求項１記載のシステム。
【請求項１８】
前記所定の期間が少なくとも１秒である、請求項９記載の方法。
【手続補正２】
【補正対象書類名】明細書
【補正対象項目名】発明の名称
【補正方法】変更
【補正の内容】
【発明の名称】電子番組ガイド（ＥＰＧ）ビデオ・クリップのプレビューをオン・デマンドで表示するシステムおよび方法
【手続補正３】
【補正対象書類名】明細書
【補正対象項目名】０００５
【補正方法】変更
【補正の内容】
【０００５】
更に、現在または将来、視聴、注文、或いは「目的の」番組の記録（録画）を一層容易にするために、ビデオ・クリップのプレビューを、それに関連する「目的のコンテンツ」とリンク（結合）させる双方向のテレビジョン・システムが継続的に必要とされる。
【手続補正４】
【補正対象書類名】明細書
【補正対象項目名】０００６
【補正方法】変更
【補正の内容】
【０００６】
（発明の概要）
電子番組ガイド（ＥＰＧ）のグリッド・ガイドをブラウズ／ナビゲートし、番組名が付されたセルを、所定の遅延期間、ハイライトしてから、ビデオ・クリップのプレビューを自動的に開始することにより、ビデオ・クリップのプレビューをオン・デマンドで提供する、双方向のテレビジョン・システム。
【手続補正５】
【補正対象書類名】明細書
【補正対象項目名】０００８
【補正方法】変更
【補正の内容】
【０００８】
電子番組ガイド（ＥＰＧ）のグリッド・ガイド１４は多数のフォーマットを有し、多数の電子番組ガイドのグリッド・ガイド１４は、現在同調（受信）している番組を表示する表示窓２０Ａを具え、現在同調している番組は、電子番組ガイドのグリッド・ガイド１４が選択／表示される前に、画面上１８に表示されたものである。従って、近く放送される番組を視聴者が電子番組ガイドのグリッド・ガイド１４でナビゲート／ブラウズしても、現在同調している番組の場面を見落すことはない。１つの実施例において、ビデオ・クリップのプレビュー２８を、ロード（ｌｏａｄ）するときに、表示するための表示窓２０Ａが使用される。
【手続補正６】
【補正対象書類名】明細書
【補正対象項目名】０００９
【補正方法】変更
【補正の内容】
【０００９】
別の実施例において、現在同調している番組（表示窓２０Ａに示す）と同時に、ビデオ・クリップのプレビュー２８を第２の表示窓２０Ｂ（破線で示す）で表示する。ビデオ・クリップのプレビュー２８が表示されているとき、ビデオ・クリップのプレビュー２８の音声トラックを聞くことができる。表示窓２０Ａと２０Ｂは、画像のディスプレイとして同様に機能するが、映像の相対的スケーリングは異なり、グラフィック構成も異なる。
【手続補正７】
【補正対象書類名】明細書
【補正対象項目名】００１０
【補正方法】変更
【補正の内容】
【００１０】
電子番組ガイド（ＥＰＧ）のグリッド・ガイド１４およびハイライトされた番組名のセル１６′をナビゲートしブラウズしていくと、説明文（番組名に関連するメタデータ：ｍｅｔａｄａｔａとも言われる）が表示される。同様に、コンテンツを視聴する間、視聴者が、上／下／左／右のナビゲーション・ボタン３２に隣接する「ＩＮＦＯ」ボタンを押して選択を行うと、番組名に関連して、同じ説明文が表示される。
【手続補正８】
【補正対象書類名】明細書
【補正対象項目名】００１２
【補正方法】変更
【補正の内容】
【００１２】
図３に、本発明による、ビデオ・クリップのプレビューを表示するプロセス１００をフローチャートで示す。このプロセスはステップ１０２から始まり、ここで、電子番組ガイド（ＥＰＧ）のグリッド・ガイド１４が画面１８上に表示され、現在同調している番組が表示窓２０Ａに表示される。ステップ１０２に続くステップ１０４で、視聴者がナビゲートしているかどうか判定される。もし判定が「ＮＯ」であれば、ステップ１０２で、電子番組ガイドのグリッド・ガイド１４と現在同調している番組が表示される。判定が「ＹＥＳ」であれば、ステップ１０２に続くステップ１０６で、ナビゲーションに応答して、セルがハイライトされる。
【手続補正９】
【補正対象書類名】明細書
【補正対象項目名】００１３
【補正方法】変更
【補正の内容】
【００１３】
ステップ１０６の後に続くステップ１０８で、セル１６′（その番組名）についてビデオ・クリップ・プレビューが得られるかどうか判定される。更に、番組名が付された複数のセル１６のうち、視聴できるビデオ・クリップ・プレビュー２８を有するセルは、それが視聴できることを視聴者に知らせるために色づけされ、縁取りされ、或いは何か別の方法で区別される。もし判定が「ＮＯ」であれば、ステップ１０８に続くステップ１１０で、現在同調している番組を表示窓２０Ａで表示し続ける。判定が「ＹＥＳ」であれば、ステップ１０８の後に続くステップ１１２で、所定の遅延期間（例えば、１秒間）、セルがハイライトされるかどうか判定される。もし判定が「ＮＯ」であれば、ステップ１１２に続くステップ１１０で、表示窓２０Ａは現在同調している番組を表示し続ける。判定が「ＹＥＳ」であれば、ステップ１１２に続くステップ１１４で、ビデオ・クリップ・プレビュー２８のリクエストがビデオ・オン・デマンド（ＶＯＤ）サーバまたはヘッド・エンドに送られ、ビデオ・クリップのプレビュー２８を開始する。
【手続補正１０】
【補正対象書類名】明細書
【補正対象項目名】００１５
【補正方法】変更
【補正の内容】
【００１５】
ステップ１１４に続くステップ１１６で、ローディング（ｌｏａｄｉｎｇ）メッセージまたはアイコン２４が表示され、ビデオ・クリップのプレビューがまもなく表示されることを視聴者に知らせる。ステップ１１６に続くステップ１１８で、ビデオ・クリップのプレビュー２８が表示窓２０Ａまたはオプションで表示窓２０Ｂに表示され、ビデオ・クリップのプレビュー２８の音声トラックを聞くことができる。表示窓２０Ａが１つだけであれば、ローディング・メッセージまたはアイコン２４はその窓に、またはその近くに、表示される。
【手続補正１１】
【補正対象書類名】明細書
【補正対象項目名】００１６
【補正方法】変更
【補正の内容】
【００１６】
更に別の実施例で、ビデオ・クリップ・プレビュー２８の静止画像を表示窓２０Ｂに表示することができる。このような実施例において、ローディング・メッセージまたはアイコン２４またはビデオ・クリップ・プレビューの静止画像は、ビデオ・クリップ・プレビュー２８がまもなく表示されることを視聴者に知らせる手段となる。
【手続補正１２】
【補正対象書類名】明細書
【補正対象項目名】００１７
【補正方法】変更
【補正の内容】
【００１７】
前述したように、本発明では、ハイライトされた番組名のセル１６′のビデオ・クリップのプレビュー２８を、所定の遅延後に、自動的に開始することにより、ビデオ・クリップのプレビューをオン・デマンドで提供する。この所定の遅延の間、セル１６′がハイライトされていれば、セル１６′に関連するビデオ・クリップのプレビュー２８を視聴者が視聴を望んでいるものと想定される。従って、視聴者はビデオ・クリップのプレビューを表示するために選択を行う（何かボタンを押す）必要はない。番組名のセルをハイライトして、ビデオ・クリップのプレビューをリクエストするためにナビゲート／ブラウズするだけでよいので、このようなプロセスは、「ノータッチ表示」と言われる。「ノータッチ表示」は、番組名のセル１６′がハイライトされ所定の遅延の経過によって達せられる想定に基づいてビデオ・クリップのプレビュー２８を開始する。
【手続補正１３】
【補正対象書類名】明細書
【補正対象項目名】００２４
【補正方法】変更
【補正の内容】
【００２４】
電子番組ガイド（ＥＰＧ）１２は、ビデオ・クリップ・プレビュー１８を目的のコンテンツ（番組）にリンクさせ、それに関連するビデオ・クリップ・プレビューを見ている間、目的のコンテンツ（番組）を視聴し、注文し、録画し、或いは起動させることができる。本発明では、予期されるコマンド（例えば、ＲＴＳＰ：Ｒｅａｌ  Ｔｉｍｅ  Ｓｔｅａｍｉｎｇ  Ｐｒｏｔｏｃｏｌで概説される注文プロトコル）をビデオ・クリップ・プレビュー２８のコンテクストの中に埋め込む。
【手続補正１４】
【補正対象書類名】図面
【補正対象項目名】図３
【補正方法】変更
【補正の内容】
【図３】
2005514876.tif 000001